(57)【要約】【課題】建物検査において手直し箇所の指摘後の管理を効率的に行うことが可能な建物検査支援装置を提供する。【解決手段】建物の図面に関する図面情報を記憶する図面マスタＤＢ４１と、当該図面情報に基づく図面を表示する表示部７と、前記表示部に表示された建物の図面上で、手直しを要する手直し部位を入力するための入力部５と、を備える携帯可能な建物検査支援装置１であって、ＣＰＵ２の制御により、入力された手直し部位に相当する図面上の位置に所定の態様の指摘表示を行い、手直し部位に関する所定の手直し工程の進捗情報の入力に基づいて、指摘表示を手直し工程別に異なる表示態様に変更する。【選択図】  図１
2004324165.tif 000002
【特許請求の範囲】
【請求項１】
建物の図面に関する図面情報を記憶する図面情報記憶手段と、前記図面情報記憶手段に記憶された建物の図面情報に基づく図面を表示する表示部と、前記表示部に表示された建物の図面上で、手直しを要する手直し部位を入力するための入力手段と、を備える携帯可能な建物検査支援装置であって、
前記入力手段により入力された手直し部位に相当する図面上の位置に所定の態様の指摘表示を行う表示制御手段と、
前記手直し部位に関する所定の手直し工程の進捗情報の入力に基づいて、前記指摘表示を手直し工程別に異なる表示態様に変更する表示変更手段と、
を備えることを特徴とする建物検査支援装置。
【請求項２】
請求項１記載の建物検査支援装置において、
前記表示変更手段は、
前記手直し部位の手直し依頼工程の入力に基づいて、前記指摘表示と異なる態様の依頼表示に変更する第１の表示変更手段と、
前記手直し部位の手直し確認工程の入力に基づいて、前記指摘表示及び前記依頼表示と異なる態様の確認表示に変更する第２の表示変更手段と、
を備えることを特徴とする建物検査支援装置。
【請求項３】
請求項１又は２に記載の建物検査支援装置において、
前記建物の部位に関する部位情報と、各部位にて手直しの指摘が可能な指摘事項とを対応付けて記憶している指摘事項記憶手段と、
前記入力手段により、手直し部位が入力された場合に、当該手直し部位にて手直しの指摘可能な指摘事項を前記指摘事項記憶手段から取得して、前記表示部に表示する指摘事項表示制御手段と、
を備えることを特徴とする建物検査支援装置。
【請求項４】
請求項３記載の建物検査支援装置において、
前記建物の部位の指摘事項と、当該指摘事項に対して手直しを行う施工業者とを対応付けて記憶している施工業者記憶手段と、
前記建物の部位の指摘事項が入力されることに基づいて、当該建物の部位の指摘事項に対する手直しを行う施工業者を前記施工業者記憶手段から取得して、前記表示部に表示させる施工業者表示制御手段と、
を備えることを特徴とする建物検査支援装置。
【請求項５】
請求項１〜４の何れか一項に記載の建物検査支援装置において、
前記建物は、複数の居住部により構成され、
前記複数の居住部を各居住部ごとに所定の居住表示態様で前記表示部に表示する居住部表示制御手段と、
前記居住部における進捗情報の入力に基づいて、前記表示部に表示された当該居住部に相当する位置の居住表示態様を、進捗情報に応じて変更する居住表示態様変更制御手段と、
を備えることを特徴とする建物検査支援装置。
【請求項６】
建物の図面に関する図面情報を記憶する図面情報記憶手段と、前記図面情報記憶手段に記憶された図面情報に基づく図面を表示する表示部と、前記表示部に表示された図面上で、手直しを要する手直し部位を入力するための入力手段と、を備えるコンピュータを、
前記入力手段により入力された手直し部位に相当する図面上の位置に所定の態様の指摘表示を行う表示制御手段、
前記手直し部位に関する所定の手直し工程の進捗情報の入力に基づいて、前記指摘表示を各々異なる表示態様に変更する表示変更手段、
として機能させるためのプログラム。
【発明の詳細な説明】
【０００１】
【発明の属する技術分野】
本発明は、建物検査支援装置に関する。
【０００２】
【従来の技術】
従来、マンション等の建物の検査において、例えば、仕上げ工事の検査をする場合には、検査者が仕上げ工事チェックシートを携帯し、手直し箇所を発見したら、その手直し箇所の部屋名、手直し部位、手直し内容、手直し業者名などをチェックシートに手書きで記入していた。
【０００３】
また、ＰＤＡ、パーソナルコンピュータ等の携帯可能な携帯端末装置の表示部にタブレット機能をもたせ、表示部に表示されるチェック項目をタッチペンで指示することによりチェック項目を入力する方法も知られている（例えば、特許文献１参照。）。
具体的には、例えば、検査対象である建物の平面図を表示部に表示し、この平面図上の手直し箇所に相当する位置をタッチペンで指示することにより、手直し箇所とその識別番号を平面図上に登録し、次いで手直し箇所に対応する部屋名、手直し部位名、手直し作業名、手直し内容、手直し業者名を表示部に表示させ、各表示内容から手直し箇所に対応する部屋名、手直し部位名、手直し作業名、手直し内容、手直し業者名をタッチペンで選択指示し登録することができるようになっている。
【０００４】
【特許文献１】
特開平７−２０７９３８号公報
【０００５】
【発明が解決しようとする課題】
しかしながら、上記特許文献１記載の検査結果の入力方法においては、手直し箇所の入力までの効率化はある程度図れているものの、手直し箇所を指摘した後のフォローを支援するまでには至っていなかった。
即ち、手直し箇所を指摘後の手直しの進捗状況の管理については何等支援するものでは無かった。
【０００６】
そこで、本発明の課題は、建物検査において手直し箇所の指摘後の管理を効率的に行うことが可能な建物検査支援装置を提供することである。
【０００７】
【課題を解決するための手段】
上記課題を解決するため、請求項１に記載の発明は、例えば、図１〜１６に示すように、建物の図面に関する図面情報を記憶する図面情報記憶手段（例えば、図面マスタＤＢ４１）と、前記図面情報記憶手段に記憶された建物の図面情報に基づく図面を表示する表示部（７）と、前記表示部に表示された建物の図面上で、手直しを要する手直し部位を入力するための入力手段（入力部５、音声入力部６）と、を備える携帯可能な建物検査支援装置（１）であって、
前記入力手段により入力された手直し部位に相当する図面上の位置に所定の態様の指摘表示を行う表示制御手段（例えば、ＣＰＵ２など）と、
前記手直し部位に関する所定の手直し工程の進捗情報の入力に基づいて、前記指摘表示を手直し工程別に異なる表示態様に変更する表示変更手段（例えばＣＰＵ２など）と、
を備えることを特徴とする。
【０００８】
請求項１記載の発明によれば、表示制御手段により、入力手段により入力された手直し部位に相当する図面上の位置に所定の態様の指摘表示が行われ、表示変更手段により、手直し部位に関する所定の手直し工程の進捗情報の入力に基づいて、指摘表示が各々異なる表示態様に変更される。よって、検査者は、図面上で手直し部位の手直しの進捗状況を視覚的に把握することができることとなって、建物検査において手直し箇所の指摘後の管理を効率的に行うことが可能となる。
【０００９】
請求項２記載の発明は、請求項１記載の建物検査支援装置において、
前記表示変更手段は、
前記手直し部位の手直し依頼の入力に基づいて、前記指摘表示と異なる態様の依頼表示に変更する第１の表示変更手段（例えば、ＣＰＵ２など）と、
前記手直し部位の手直し確認の入力に基づいて、前記指摘表示及び前記依頼表示と異なる態様の確認表示に変更する第２の表示変更手段（例えば、ＣＰＵ２など）と、
を備えることを特徴とする。
【００１０】
請求項２記載の発明は、請求項１に記載の発明と同様の効果が得られることは無論のこと、特に、第１の表示変更手段により、手直し部位の手直し依頼の入力に基づいて、指摘表示と異なる態様の依頼表示に変更され、第２の変更表示手段により、手直し部位の手直し確認の入力に基づいて、指摘表示及び依頼表示と異なる態様の確認表示に変更されるので、指摘表示と依頼表示と確認表示とを確実に区別することができる。
【００１１】
請求項３記載の発明は、請求項１又は２に記載の建物検査支援装置において、
前記建物の部位に関する部位情報と、各部位にて手直しの指摘が可能な指摘事項とを対応付けて記憶している指摘事項記憶手段（例えば、部位マスタＤＢ４２と項目マスタＤＢ４３）と、
前記入力手段により、手直し部位が入力された場合に、当該手直し部位にて手直しの指摘可能な指摘事項を前記指摘事項記憶手段から取得して、前記表示部に表示する指摘事項表示制御手段（例えば、ＣＰＵ２）と、
を備えることを特徴とする。
【００１２】
請求項３記載の発明によれば、請求項１又は２に記載の発明と同様の効果が得られることは無論のこと、特に、指摘事項表示制御手段によって、入力手段により手直し部位が入力された場合に、当該手直し部位にて手直しの指摘可能な指摘事項が指摘事項記憶手段から取得されて、表示部に表示されるので、検査者による指摘事項の入力効率を高めることができるとともに、誤入力を防止することができる。
【００１３】
請求項４記載の発明は、請求項３記載の建物検査支援装置において、
前記建物の部位の指摘事項と、当該指摘事項に対して手直しを行う施工業者とを対応付けて記憶している施工業者記憶手段（例えば、施工業者マスタＤＢ４４）と、
前記建物の部位の指摘事項が入力されることに基づいて、当該建物の部位の指摘事項に対する手直しを行う施工業者を前記施工業者記憶手段から取得して、前記表示部に表示させる施工業者表示制御手段（例えば、ＣＰＵ２）と、
を備えることを特徴とする。
【００１４】
請求項４記載の発明によれば、請求項３に記載の発明と同様の効果が得られることは無論のこと、特に、施工業者表示制御手段により、建物の部位の指摘事項が入力されることに基づいて、当該建物の部位の指摘事項に対する手直しを行う施工業者が施工業者記憶手段から取得されて、表示部に表示されるので、検査者が施工業者を知らない場合でも自動的に表示されることとなって、建物検査において手直し箇所の指摘後の管理をより効率的に行うことが可能となる。
【００１５】
請求項５記載の発明は、請求項１〜４の何れか一項に記載の建物検査支援装置において、
前記建物は、複数の居住部により構成され、
前記複数の居住部を各居住部ごとに所定の居住表示態様で前記表示部に表示する居住部表示制御手段（例えば、ＣＰＵ２）と、
前記居住部における進捗情報の入力に基づいて、前記表示部に表示された当該居住部に相当する位置の居住表示態様を、進捗情報に応じて変更する居住表示態様変更制御手段（例えば、ＣＰＵ２）と、
を備えることを特徴とする。
【００１６】
請求項５記載の発明によれば、請求項１〜４の何れか一項に記載の発明と同様の効果が得られることは無論のこと、特に、居住部表示制御手段により、複数の居住部が各居住部ごとに所定の居住表示態様で表示部に表示され、居住表示態様変更制御手段により、居住部における進捗情報の入力に基づいて、表示部に表示された当該居住部に相当する位置の居住表示態様が、進捗情報に応じて変更されて表示されるので、各居住部ごとの検査状況をより容易に把握することができることとなって、建物検査の業務効率化が図れる。
【００１７】
請求項６記載の発明は、建物の図面に関する図面情報を記憶する図面情報記憶手段（図面マスタＤＢ４１）と、前記図面情報記憶手段に記憶された図面情報に基づく図面を表示する表示部（７）と、前記表示部に表示された建物の図面上で、手直しを要する手直し部位を入力するための入力手段（例えば、入力部５、音声入力部６）と、を備えるコンピュータ（例えば、建物検査支援装置１、ＣＰＵ２）を、
前記入力手段により入力された手直し部位に相当する図面上の位置に所定の態様の指摘表示を行う表示制御手段、
前記手直し部位に関する所定の手直し工程の進捗情報の入力に基づいて、前記指摘表示を各々異なる表示態様に変更する表示変更手段、
として機能させるためのプログラム（例えば、表示変更プログラム）である。
請求項６記載の発明によれば、当該プログラムがコンピュータに組み込まれることにより、請求項１記載の発明と同様の効果を得ることができる。
【００１８】
【発明の実施の形態】
以下、図面を参照して本発明に係る建物検査支援装置について詳細に説明する。本実施の形態における建物検査支援装置は、マンションなどの建物の検査業務を支援するものであり、タブレットＰＣやＰＤＡなど検査者が携帯可能な携帯端末などにより構成される。
【００１９】
図１に示すように、建物検査支援装置１は、ＣＰＵ（Ｃｅｎｔｒａｌ  Ｐｒｏｃｅｓｓｉｎｇ  Ｕｎｉｔ）２、ＲＡＭ（Ｒａｎｄｏｍ  Ａｃｃｅｓｓ  Ｍｅｍｏｒｙ）３、記憶部４、入力部５、音声入力部６、表示部７、計時部８、外部機器と接続するためのインターフェイス（Ｉ／Ｆ）９などを備え、これらは内部バスＢを介して接続されている。
【００２０】
＜記憶部の説明＞
記憶部４は、プログラムやデータなどがあらかじめ記憶された記録媒体４ａを有している。記録媒体４ａは、例えば、磁気的記録媒体、光学的記録媒体、半導体メモリなどで構成されている。記録媒体４ａは、記憶部４に対して、固定的に、あるいは着脱自在に設けられている。
【００２１】
記録媒体４ａには、図面マスタデータベース（図面マスタＤＢ）４１と、部位マスタデータベース（部位マスタＤＢ）４２と、項目マスタデータベース（項目マスタＤＢ）４３と、施工業者マスタデータベース（施工業者マスタＤＢ）４４と、が記憶されている。
また、記録媒体４ａには、建物検査支援処理に使用される各種アプリケーションプログラムなどが記憶されるプログラム格納領域４５、各種アプリケーションプログラムの実行結果などが記憶される結果データ格納領域４６などが設けられている。
【００２２】
なお、記録媒体４ａに記憶されるプログラム、データなどは、その一部または全部が、他の外部装置などから、インターフェイスなどを介して取得して、記録媒体４ａに記録されるものとしても良い。
【００２３】
＜各データベースの説明＞
図面マスタＤＢ４１には、例えば、マンションの各部屋番号別（居住部）の平面図データが記憶される。
なお、この図面データは、設計時におけるＣＡＤデータでもよいし、図面をスキャナ（図示省略）等により取り込んだＢＭＰ形式やＪＰＥＧ形式、ＧＩＦ形式の画像データでもよい。
【００２４】
部位マスタＤＢ４２には、建物の各居住部における各部位に関する部位情報が記憶されている。
具体的に、部位情報は、図２に示すように、室名データ、部位データ、位置データ、仕上げ／下地データの４階層に階層化されて記憶されており、例えば、室名データ（第１階層）として、玄関、寝室（１）、寝室（２）、寝室（３）、ＬＤ、和室、廊下、バルコニー、パティオテラス、洗面、キッチン、ＷＣ、ＵＢ、室外機置き場、脱衣所等がある。また、部位データ（第２階層）として、床、幅木、壁、天井、その他、棚板、キッチン、三方枠、吊戸棚、パントりー扉、引き戸、収納、沓踏、扉、センタードア、額縁、ガラス、樋、室外機置き場、手摺り、タオル収納、引き戸、洗面化粧台、建具、トランクルーム等がある。また、位置データ（第３階層）として、上、下、左、右、廻り等がある。仕上げ／下地データ（第４階層）として、クロス、カーペット、フローリング、ソフト幅木、塩ビシート、半磁器タイル、三方枠、扉、キッチンパネル、サッシ、クーラーキャップ、枠、天端、コーキング、額縁、スリーブキャップ、棚板、ガラス、クレセント、畳敷き、フスマ、鴨居、合板敷き、杉等がある。
【００２５】
部位情報の各階層は、ツリー構造となっており、上位階層の項目が選択された場合には、その項目の下位階層で選択可能なデータとがリンクされて記憶されている。
【００２６】
項目マスタＤＢ４３には、検査にて指摘可能な指摘事項情報が記憶されている。
指摘事項は、具体的には、例えば、汚れ、破れ、未処理、剥がれ、染み、傷、浮き、取付け、ジョイント、がたつき、取付不良、動作不良、涙目取付、のり付着、めくれ、化粧無し、レベル調整、ささくれ、ペンキ付着、コーク処理、すき間、欠け、処理、未塗装、清掃などである。
指摘事項情報は部位情報とリンクされており、部位ごとに選択可能な指摘事項とが対応付けられて記憶されている。
【００２７】
施工業者マスタＤＢ４４には、建物の部位の仕上げに関する指摘事項に対して手直しを行う施工業者が記憶されている。この施工業者マスタＤＢ４４は、項目マスタＤＢ４３とリンクされており、仕上げごとの指摘事項と、当該指摘事項に対して手直しを行う施工業者とが対応付けられて記憶されている。
【００２８】
プログラム格納領域４５には、ＣＰＵ２での各種動作を行うためのシステムプログラム、アプリケーションプログラムが記憶されている。特に、ＣＰＵ２を、入力された手直し部位に相当する図面上の位置に所定の態様の指摘表示を行う表示制御手段、手直し部位に関する所定の手直し工程の進捗情報の入力に基づいて、前記指摘表示を各々異なる表示態様に変更する表示変更手段、として機能させるための表示変更プログラム４５ａが記憶されている。
【００２９】
結果データ格納領域４６には、ユーザによって入力されたデータやＣＰＵ２によって抽出されたデータなどが記憶されている。
【００３０】
＜ＣＰＵ２の説明＞
ＣＰＵ２は、記憶部４に格納されている各種アプリケーションプログラムやシステムプログラムなどをＲＡＭ３に格納して、各種指示信号や入力データなどに応じて、ＲＡＭ３内に格納したアプリケーションプログラムに従って、各種処理を実行する。また、ＣＰＵ２は、処理結果を一時的にＲＡＭ３に格納するとともに、表示部７に表示する制御を行う。また、ＣＰＵ２は、処理結果情報を記憶部４の結果データ格納領域に記憶させる制御も行う。
【００３１】
具体的に、ＣＰＵ２は、表示変更プログラム４５ａを実行することにより、入力部５により入力された手直し部位に相当する図面上の位置に指摘表示を行う表示制御手段として機能するとともに、手直し部位に関する所定の手直し工程の進捗情報の入力に基づいて、指摘表示を各々異なる表示態様に変更する表示変更手段として機能する。
【００３２】
より具体的には、ＣＰＵ２は、手直し部位の手直し依頼の入力に基づいて、指摘表示と異なる態様の依頼表示に変更する第１の表示変更手段と、手直し部位の手直し確認の入力に基づいて、指摘表示及び前記依頼表示と異なる確認表示に変更する第２の表示変更手段として機能する。
【００３３】
また、ＣＰＵ２は、入力部５によって手直し部位が入力されたと判断した場合に、当該手直し部位にリンクされた指摘事項を項目マスタＤＢ４３から取得して、表示部７に表示させる指摘事項表示制御手段として機能する。
また、ＣＰＵ２は、建物の部位の指摘事項が入力されることに基づいて、当該建物の部位の指摘事項にリンクされた施工業者を施工業者マスタＤＢ４４から取得して、表示部７に表示させる施工業者表示制御手段として機能する。
さらに、ＣＰＵ２は、複数の居住部（例えば、マンションの各部屋）を各居住部ごとに所定の居住表示態様で表示部７に表示する居住部表示制御手段として機能するとともに、居住部における進捗情報の入力に基づいて、表示部７に表示された当該居住部に相当する位置の居住表示態様を、進捗情報に応じて変更する居住表示態様変更制御手段として機能する。
【００３４】
＜ＲＡＭ３の説明＞
ＲＡＭ３は、記憶部４に格納されたプログラムをＣＰＵ２が実行する際に、各種データを展開するプログラム格納領域を形成する。また、ＣＰＵ２が実行する処理に係わるデータが一時的に記憶される記憶領域を形成する。また、入力指示と入力データとによって処理される作業領域などを形成する。
【００３５】
＜入力部５の説明＞
入力部５は、キー群５ａ、タッチペン５ｂおよびタブレット５ｃを含んで構成される。
【００３６】
キー群５ａは、カーソルキー、数字キー、機能キー等の各種キーを備え、ユーザにより操作されたキーに対応する操作信号をＣＰＵ２に出力する。
【００３７】
タブレット５ｃは表示部７と一体に構成され、抵抗膜式、光学式、静電容量式等の各種座標読み取り原理により、ユーザがタッチペン５ｂで表示部７をタッチした座標位置を検出し、その座標位置に応じた入力信号をＣＰＵ２に出力する。
【００３８】
具体的には、表示部７に表示されたメニューバー、アイコン等をタッチペン５ｂでタッチすることにより、タッチされたメニュー項目またはアイコンに応じた操作を行うことができる。
【００３９】
＜音声入力部６の説明＞
音声入力部６は、図示しないマイク、音声認識部等によって構成され、マイクから入力されるユーザの音声信号を音声認識部にて音声認識してテキストデータに変換し、変換したテキストデータを音声入力情報としてＣＰＵ２に出力する。
【００４０】
＜表示部７の説明＞
表示部７は、例えば、ＬＣＤ（Ｌｉｑｕｉｄ  Ｃｒｙｓｔａｌ  Ｄｉｓｐｌａｙ）などにより構成されている。ＣＰＵ２の表示制御に従い、各種データを入力する入力画面などを表示画面上に表示できる。
【００４１】
＜計時部８の説明＞
計時部８は、時刻や日付を計時し、計時された時間データ等は、ＣＰＵ２を介してＲＡＭ３に送られて順次更新セットされる。例えば、所定周波数のクロック信号を発振する発振回路（図示省略）と、該発振回路からの信号を分周して所定周波数の信号を得る分周回路（図示省略）と、一秒単位の計時データに変換するための時刻用カウンタ（図示省略）等を備える。
そして、ＣＰＵ２により、手直し指摘、手直し依頼、手直し確認等の入力がなされると、その入力日時が記憶部４の結果データ格納領域に記憶されるようになっている。
【００４２】
＜インターフェイス（Ｉ／Ｆ）９の説明＞
Ｉ／Ｆ９は、この建物検査支援装置１と外部機器（図示省略）間で各種指示信号や位置情報等を入出力するためのインターフェイスであり、例えば、ＵＳＢ（Ｕｎｉｖｅｒｓａｌ  Ｓｅｒｉａｌ  Ｂｕｓ）ポートやＲＳ−２３２Ｃ端子をはじめとするシリアル入出力端子、パラレル入出力端子、ＳＣＳＩインターフェイス、ＩｒＤＡ（Ｉｎｆｒａｒｅｄ  Ｄａｔａ  Ａｓｓｏｃｉａｔｉｏｎ）規格に準じた赤外線通信装置等が備えられ、有線または無線通信手段により外部機器と接続することが可能である。
そして、記憶部４に記憶されている図面マスタＤＢ４１、部位マスタＤＢ４２、項目マスタＤＢ４３、施工業者マスタＤＢ４４の各データを、Ｉ／Ｆ９を介して、例えば、別の施工管理システムに記憶されているデータから取得するようにしてもよい。
【００４３】
次に、上記建物検査支援装置による現場作業処理について、図３〜９を参照して詳細に説明する。
なお、現場作業処理を説明するに当たり、予め、図面マスタＤＢ４１、部位マスタＤＢ４２、項目マスタＤＢ４３、施工業者マスタＤＢ４４に必要なデータが格納されているものとする。また、建物はマンションであり、各部屋番号（居住部）ごとの検査を行うものとする。
【００４４】
図３に示すように、まず、表示部７に表示された処理選択表示画面（図示省略）にて「現場作業」がタッチペン５ｂにより入力される（ステップＳ１０１）と、ＣＰＵ２は、表示部７に、例えば、図４に示す部屋番号選択画面Ｇ１００を表示させる（ステップＳ１０２）。そして、部屋番号選択画面Ｇ１００に表示された部屋番号一覧１０１から、ユーザがタッチペン５ｂで選択することにより部屋番号選択指示がＣＰＵ２に入力され、ＣＰＵ２は、選択された部屋番号データをＲＡＭ３に一時的に記憶する（ステップＳ１０３）。ここでは、例えば、「２０１」を選択するものとする。
【００４５】
また、ＣＰＵ２は、入力された当該部屋番号選択指示に基づいて、「２０１」に該当する平面図データを図面マスタＤＢ４１から抽出して、例えば、図４に示すように、「２０１」の平面図１０２を表示させるとともに（ステップＳ１０４）、部位マスタＤＢ４２から、当該「２０１」に対応する室名データを抽出して、例えば、図５に示すような室選択表示画面Ｇ２００に表示させる（ステップＳ１０５）。具体的には、玄関、洗面、台所、脱衣所、・・・などが表示される。
【００４６】
なお、図５に示す室選択表示画面Ｇ２００には、画面に向かって左部に「２０１」の平面図２１０が表示され、その右部に室選択欄２２０が表示される。
この状態で、ユーザがタッチペン５ｂ等で、指摘場所に相当する平面図２１０上の箇所を押下すると、当該位置データがＣＰＵ２に入力される（ステップＳ１０６）。すると、ＣＰＵ２は、押下された位置に指摘表示２１１を表示させるとともに、当該位置データをＲＡＭ３に一時的に記憶する（ステップＳ１０７）。指摘表示２１１としては、具体的には、例えば、図５に示すような「引き出し線」表示２１１ａと、「引き出し線」表示２１１ａの近傍に表示された「指摘Ｎｏ．」表示２１１ｂである。「指摘Ｎｏ．」表示２１１ｂは、指摘した順番を示す数字である。また、指摘表示は、赤色で表示されるとともに、「指摘Ｎｏ．」表示は、例えば、「（１）」のような括弧付きの表示となっている。
【００４７】
次いで、室選択欄２２０に表示された室名一覧２２１から、ユーザがタッチペン５ｂ等で指摘場所に相当する室名を選択することにより、ＣＰＵ２に室名選択指示が入力され、ＣＰＵ２は、選択された室名データを指摘Ｎｏ．データと対応付けてＲＡＭ３に一時的に記憶する（ステップＳ１０８）。具体的には、ここでは、室名として「洋室１」を選択するものとする。
【００４８】
また、ＣＰＵ２は、室名選択指示に基づいて、室名記入欄２２２に「洋室１」と表示させる制御を行う（ステップＳ１０９）。
【００４９】
次いで、ＣＰＵ２は、入力された室名選択指示に基づいて、「洋室１」にリンクされた部位データを部位マスタＤＢ４２から抽出して、図６に示すような、部位選択表示画面Ｇ３００に表示させる（ステップＳ１１０）。つまり、「洋室１」が選択されたことにより、選択可能な部位のみが部位選択表示画面Ｇ３００の部位選択欄３２０の部位一覧３２１に表示されるようになっている。具体的には、図６に示すように、部位一覧３２１に壁、クローゼット、天井、幅木、床が表示される。
【００５０】
次いで、部位選択表示画面Ｇ３００に表示された部位一覧３２１から、ユーザがタッチペン５ｂで部位を選択することにより部位選択指示がＣＰＵ２に入力され、ＣＰＵ２は、選択された部位データをＲＡＭ３に一時的に記憶する（ステップＳ１１１）。具体的には、ここでは、部位として「床」を選択するものとする。
そして、ＣＰＵ２は、部位選択指示に基づいて、部位記入欄３２２に「床」と表示させる制御を行う（ステップＳ１１２）。
【００５１】
次いで、ＣＰＵ２は、入力された部位選択指示に基づいて、「床」にリンクされた位置データを部位マスタＤＢ４２から抽出して、図示しない位置表示画面を表示部７に表示させる。なお、選択された部位によっては位置の選択がない場合があり、その場合には、位置データは表示されない。床の場合には、位置データの選択がないので、位置データは表示されない。
【００５２】
位置データがない場合、ＣＰＵ２は、部位にリンクされた仕上げ／下地データを部位マスタＤＢ４２から抽出して、図７に示すような、仕上げ／下地選択表示画面Ｇ４００を表示部７に表示させる（ステップＳ１１３）。つまり、「洋室１」−「床」が選択されたことにより選択可能な仕上げ／下地のみが仕上選択欄４２０の仕上げ一覧４２１に表示されるようになっている。具体的には、仕上げ一覧４２１に、カーペットが表示される。
【００５３】
次いで、仕上げ／下地選択表示画面Ｇ４００に表示された仕上げ／下地一覧から、ユーザがタッチペン５ｂで仕上げ／下地を選択することにより仕上げ／下地選択指示がＣＰＵ２に入力され、ＣＰＵ２は、選択された仕上げ／下地データをＲＡＭ３に一時的に記憶する（ステップＳ１１４）。具体的には、ここでは、仕上げ／下地として「カーペット」を選択するものとする。
また、ＣＰＵ２は、仕上げ／下地選択指示に基づいて、仕上記入欄４２２に「カーペット」と表示させる制御を行う（ステップＳ１１５）。
【００５４】
次いで、ＣＰＵ２は、入力された仕上げ／下地選択指示に基づいて、「カーペット」にリンクされた指摘事項データを項目マスタＤＢ４３から抽出して、図８に示すような、指摘事項選択表示画面Ｇ５００の指摘事項選択欄５２０の指摘事項一覧５２１を表示部７に表示させる（ステップＳ１１６）。具体的には、指摘事項一覧５２１に、浮き、傷、染み、剥がれ、・・・などが表示される。
【００５５】
次いで、指摘事項選択表示画面Ｇ５００に表示された指摘事項一覧５２１から、ユーザがタッチペン５ｂで指摘事項を選択することにより指摘事項選択指示がＣＰＵ２に入力され、ＣＰＵ２は、選択された指摘事項データをＲＡＭ３に一時的に記憶する（ステップＳ１１７）。具体的には、ここでは、指摘事項として「傷」を選択するものとする。
【００５６】
また、ＣＰＵ２は、指摘事項選択指示に基づいて、指摘記入欄５２２に「傷」と表示させる制御を行う（ステップＳ１１８）。具体的には、図９に示すような、手直し部位指摘完了画面Ｇ６００を表示部７に表示させる。この手直し部位完了画面Ｇ６００には、室名記入欄６０１、部位記入欄６０２、位置記入欄６０３、仕上記入欄６０４、指摘記入欄６０５にそれぞれ選択したデータが入力されている。
【００５７】
次いで、ＣＰＵ２は、ユーザがタッチペン５ｂ等で、手直し部位完了画面Ｇ６００に表示された平面図６１０において、指摘場所に相当する平面図上の箇所を押下したか否かを判断し（ステップＳ１１９）、押下信号の入力により押下したと判断した場合（ステップＳ１１９；Ｙｅｓ）には、ＣＰＵ２は、再び、ステップＳ１０７に戻る。一方、ＣＰＵ２は、ユーザがタッチペン５ｂ等で、指摘場所に相当する平面図上の箇所を押下されていないと判断した場合（ステップＳ１１９；Ｎｏ）には、ステップＳ１２０に移行する。
【００５８】
次いで、ＣＰＵ２は、ユーザによる終了ボタン６３０の入力があったか否かを判断し（ステップＳ１２０）、終了ボタン６３０の入力があったと判断した場合（ステップＳ１２０；Ｙｅｓ）には、データ保存のメッセージを表示部７に表示する（ステップＳ１２１）。そして、ユーザからのデータ保存信号の入力があった場合（ステップＳ１２２；Ｙｅｓ）には、ＣＰＵ２は、ＲＡＭ３に一時的に記憶されたデータ「２０１（部屋番号データ）−１（指摘Ｎｏ．データ）−洋室１（室名データ）−床（部位データ）−カーペット（仕上げ／下地データ）−傷（指摘事項データ）」等を現場入力データとして記憶部４の結果データ格納領域４６に記憶し（ステップＳ１２３）、当該「２０１」の手直し検査入力が終了したと判断して、図４に示す部屋番号選択画面に表示された部屋番号一覧の「２０１」の表示を黒字から赤字に表示態様を変更する処理を行った後（ステップＳ１２４）、図４に示す部屋番号選択画面を表示して（ステップＳ１２５）、本処理を終了する。また、例えば、図４の２Ｆに属する２０１〜２０６号の全ての部屋の手直し入力が終了すると、ＣＰＵ２は上階層の「２Ｆ］の表示を黒字から赤字に表示態様を変更する。
【００５９】
一方、ＣＰＵ２は、ユーザによる終了ボタン６３０の入力がないと判断した場合（ステップＳ１２０；Ｎｏ）には、ステップＳ１１９に移行する。
【００６０】
次に、事務所作業処理について、図面を参照して詳細に説明する。
なお、事務所作業処理を説明するに当たり、予め、図３の現場作業処理により、指摘事項の入力がなされているものする。
【００６１】
図１０に示すように、まず、表示部７に表示された処理選択表示画面（図示省略）にて「事務所作業」がタッチペン５ｂにより入力される（ステップＳ２０１）と、ＣＰＵ２は、表示部７に、例えば、図１１に示す部屋番号選択画面Ｇ７００を表示させる（ステップＳ２０２）。部屋番号選択画面Ｇ７００に表示された部屋番号一覧７１０から、ユーザがタッチペン５ｂで部屋番号を選択することにより部屋番号選択指示がＣＰＵ２に入力され、ＣＰＵ２は、選択されたデータをＲＡＭ３に一時的に記憶する（ステップＳ２０３）。具体的には、例えば、「２０１」を選択するものとする。
【００６２】
また、ＣＰＵ２は、入力された当該部屋番号選択指示に基づいて、「２０１」に該当する平面図データを図面マスタＤＢ４１から抽出して、例えば、図１１に示すように、「２０１」の平面図７２０を表示させるとともに（ステップＳ２０４）、結果データ記憶領域４６に記憶された、当該「２０１」に対応する現場入力データを抽出する。このとき、ＣＰＵ２は、指摘事項データにリンクされている施工業者データを施工業者マスタＤＢ４４から抽出する。次いで、ＣＰＵ２は、例えば、図１１に示すような指摘事項一覧７３０を表示させる（ステップＳ２０５）。指摘事項一覧７３０には、具体的には、例えば、Ｎｏ．１〜４の指摘Ｎｏ．データに対する室名データ（例えば、「洋室１」、「洋室２」、「リビングルーム」、「和室」）、部位データ、位置データ、仕上げ／下地データ、指摘事項データ、施工業者データが表示される。
【００６３】
ここで、例えば、ユーザが施工業者名を変更したい場合において、ＣＰＵ２が、ユーザによる指摘事項一覧７３０の該当する指摘事項の施工業者欄（例えば、符号７３２）の押下による押下信号を入力したと判断した場合（ステップＳ２０６；Ｙｅｓ）には、図１２に示すような施工業者選択画面Ｇ８００に施工業者選択欄８１０を表示部７に表示させる。そして、ユーザが、施工業者選択欄８１０の全項目ボタン８１１を押下することにより、ＣＰＵ２は、全施工業者を施工業者マスタＤＢ４４から抽出して施工業者選択欄８１０に表示する（ステップＳ２０７）。具体的には、例えば、図１３に示すような全施工業者表示画面Ｇ８５０を表示する。ここでは、指摘Ｎｏ．２の「洋室２」の施工業者の変更を行うものとする。次いで、施工業者選択欄８５１に表示された全施工業者の中から該当する施工業者の選択指示を行う。すると、ＣＰＵ２に選択指示が入力され、ＣＰＵ２は、選択された施工業者データをＲＡＭ３に一時的に記憶する（ステップＳ２０８）。具体的は、ここでは、施工業者として「○○装飾」から「□□商事」に変更するものとする。
【００６４】
また、ＣＰＵ２は、施工業者選択指示に基づいて、施工業者記入欄（例えば、図１４の符号９０１）に「□□商事」と表示させる制御を行う（ステップＳ２０９）。、ステップＳ２０６において、施工業者欄８５２の入力がない場合（ステップＳ２０６；Ｎｏ）には、ＣＰＵ２は手直し方法の入力の有無を判断する（ステップＳ２１０）。
【００６５】
そして、ＣＰＵ２は、ユーザによる手直し方法欄の押下に基づく押下信号が入力されたと判断した場合（ステップＳ２１０；Ｙｅｓ）には、手直し方法データを図示しないデータベースから抽出して、図示しない手直し方法一覧を表示させる（ステップＳ２１１）。そして、手直し方法一覧に表示された手直し方法の中から該当する手直し方法の選択指示を行う。すると、ＣＰＵ２に手直し方法の選択指示が入力され、ＣＰＵ２は、選択された手直し方法データをＲＡＭ３に一時的に記憶する（ステップＳ２１２）。また、ＣＰＵ２は、選択された手直し方法を、例えば、図１４に示すように手直し方法選択表示画面Ｇ９００に表示する（ステップＳ２１３）。具体的には、例えば、指摘Ｎｏ．１に対する手直し方法が「貼り直し」９３１と表示される。
【００６６】
次いで、ステップＳ２１４において、ＣＰＵ２は、各着工予定日、完了予定日の押下信号又は全着工予定信号の入力があったか否かを判断し、これらの信号の入力がない場合（ステップＳ２１４；Ｎｏ）には、ステップＳ２１７に移行するが、これらの入力信号があった場合（ステップＳ２１４；Ｙｅｓ）には、着工予定・完了予定指示入力をＲＡＭ１３に一時的に記憶する（ステップＳ２１５）。そして、ＣＰＵ２は、例えば、図１４に示すように、着工予定日欄９１１に日付を表示する（ステップＳ２１６）。具体的には、例えば、「２００３年４月１５日」と入力される。
また、ＣＰＵ２は、図１５に示す確認日入力画面Ｇ１０００ように、完了予定日欄１００１に日付を表示する（ステップＳ２１６）。具体的には、例えば、「２００３年４月１５日」と表示される。
【００６７】
次いで、ＣＰＵ２は、例えば、図１５に示す終了ボタン１０３０の押下信号が入力されたか否かを判断し（ステップＳ２１７）、押下信号が入力されないと判断した場合（ステップＳ２１７；Ｎｏ）には、ステップＳ２０６に戻る。一方、ＣＰＵ２は、終了ボタン１０３０の押下信号が入力されたと判断した場合（ステップＳ２１７；Ｙｅｓ）には、データ保存のメッセージを表示部７に表示する（ステップＳ２１８）。そして、ユーザからのデータ保存信号の入力があった場合（ステップＳ２１９；Ｙｅｓ）には、ＣＰＵ２は、ＲＡＭ３に一時的に記憶した施工業者データ、着工予定日データ、着工完了日データ等を記憶部４の結果データ記憶領域４６に格納して（ステップＳ２２０）、本処理を終了する。
【００６８】
次に、進捗表示変更処理について、図１６を用いて説明する。
図１６に示す進捗表示変更処理において、図示しない部屋番号の選択処理がなされると、ＣＰＵ２は、選択された部屋番号の手直しの指摘部位に関して、手直し依頼入力がなされたか否かを判断する（ステップＳ２５１）。
【００６９】
具体的には、例えば、後述する書類作成処理において、業者別指示書の印刷指示が入力された場合に、ＣＰＵ２は手直し依頼入力があったと判断して（ステップＳ２５１；Ｙｅｓ）、ＣＰＵ２は、該当する指摘部位の指摘表示を依頼表示に変更する（ステップＳ２５２）。具体的には、例えば、図１４に示すように、「引き出し線」表示９２１を赤色表示から青色表示に変更するとともに、「指摘Ｎｏ．」表示９２２を「（１）」から「［１］」括弧の依頼表示へと変更する表示制御を行う（ステップＳ２１２）。
【００７０】
次いで、ＣＰＵ２は、手直し確認入力がなされたか否かを判断する（ステップＳ２５３）。具体的には、例えば、図１５に示す確認日入力画面Ｇ１０００にて、ＣＰＵ２は、ユーザにより確認日欄１０１０に確認日がＣＰＵ２に入力された場合に、手直し確認入力があったと判断して（ステップＳ２５３；Ｙｅｓ）、ＣＰＵ２は、当該確認日データをＲＡＭ３に一時的に記憶するとともに、該当する指摘事項の「引き出し線」表示１０２０を青色表示から黒色表示に変更するとともに、「指摘Ｎｏ．」表示１０２１を、「［１］」から「１」の括弧のない確認表示へと変更する表示制御を行う（ステップＳ２５４）。
【００７１】
次いで、ＣＰＵ２は、例えば、図１５に示す確認日入力画面Ｇ１０００にて、終了ボタン１０３０の押下指示が入力されたか判断し（ステップＳ２５５）、終了ボタン１０３０の入力がされないと判断された場合（ステップＳ２５５；Ｎｏ）、再び、ステップＳ２５３に移行するが、終了ボタン１０３０が入力されたと判断された場合（ステップＳ２５５；Ｙｅｓ）には、データ保存のメッセージを表示部７に表示する（ステップＳ２５６）。そして、ユーザからのデータ保存信号の入力があった場合（ステップＳ２５７；Ｙｅｓ）には、ＣＰＵ２は、ＲＡＭ３に一時的に記憶した指摘事項データ、業者別指示書の印刷指示データ（手直し依頼データ）、確認日データ（手直し確認データ）等を記憶部４の結果データ記憶領域４６に格納して（ステップＳ２５８）、本処理を終了する。
【００７２】
次に、書類作成処理について、図面を参照して詳細に説明する。
なお、書類作成処理を説明するに当たり、予め、図３の現場作業処理により、指摘事項の入力がなされ、図１０の事務所作業処理により施工業者の入力処理、手直し依頼処理、手直し確認処理等が適宜なされているものする。
【００７３】
図１７に示すように、まず、表示部７に表示された処理内容表示画面（図示省略）にて「印刷作業」がタッチペン５ｂ等により入力される（ステップＳ３０１）と、ＣＰＵ２は、表示部７に、例えば、図１８に示す印刷選択画面Ｇ１１００を表示させる（ステップＳ３０２）。印刷選択画面Ｇ１１００に表示された出力部屋番号一覧１１１０から、ユーザがタッチペン５ｂで部屋番号を選択することにより部屋番号選択指示がＣＰＵ２に入力され、ＣＰＵ２は、選択された部屋番号データをＲＡＭ３に一時的に記憶する（ステップＳ３０３）。具体的には、例えば、「２０１」を選択するものとする。
【００７４】
また、ＣＰＵ２は、入力された当該部屋番号選択指示に基づいて、結果データ記憶領域４６に記憶された、当該「２０１」に対応する現場入力データ、施工業者データ、着工予定日データ、確認日データ等を抽出する（ステップＳ３０４）。
【００７５】
次いで、ユーザがタッチペン５ｂにより印刷する書類の印刷条件を選択すると、その選択データをＣＰＵ２はＲＡＭ３に蓄積させる（ステップＳ３０５）。
次いで、ＣＰＵ２は、ユーザからの印刷指示を入力すると、ＲＡＭ３に記憶された印刷条件に基づいて、印刷を実行して（ステップＳ３０６）、本処理を終了する。
【００７６】
印刷条件としては、例えば、図１８に示す印刷選択画面Ｇ１１００に表示されているように、業者別指示書を印刷することができる。より具体的に説明すると、ユーザが業者別指示書欄１１２０をタッチペン５ｂで指定すると、例えば、印刷選択画面Ｇ１１００に示す施工業者選択欄１１３０が表示され、ここで、施工業者を選択する。次いで、出力内容選択欄１１４０から、当該施工業者に関する指摘事項の全部を出力する「全出力」１１４１、確認入力がされてない指摘事項のみ出力する「未完のみ入力」１１４２、或いは、確認完了のみ出力する「確認完了のみ出力」１１４３などの印刷条件が選択可能となっており、この中からユーザが選択することができ、選択された印刷条件での印刷が可能となっている。なお、業者別指示書を印刷すると、当該印刷指示入力により、ＣＰＵ２は、手直し依頼が完了したものとして、指摘事項についての指摘表示を依頼表示に変更する。
【００７７】
また、印刷条件として、例えば、図１８に示す印刷選択画面Ｇ１１００に表示されているように、指摘事項一覧表を印刷することができる。より具体的に説明すると、ユーザが指摘事項一覧欄１１５０をタッチペン５ｂで指定すると、出力内容表示欄１１４０が表示され、指摘事項の全部を出力する「全出力」、確認入力がされてない指摘事項のみ出力する「未完のみ入力」、或いは、確認完了のみ出力する「確認完了のみ出力」などの印刷条件が選択可能となっており、この中からユーザが選択することができ、選択された印刷条件での印刷が可能となっている。
【００７８】
さらに、印刷条件として、例えば、図１８に示す印刷選択画面Ｇ１１００に表示されているように、条件抽出表を印刷することができる。より具体的に説明すると、ユーザが条件抽出欄１１５０をタッチペン５ｂで指定すると、出力内容として、居住部である部屋番号、部位、仕上げ、施工業者、を各々選択して、選択された印刷条件での印刷が可能となっている。
【００７９】
また、印刷条件として、例えば、図１８に示す印刷選択画面Ｇ１１００に表示されているように、工程表を印刷することができる。より具体的に説明すると、ユーザが工程表欄１１７０をタッチペン５ｂで指定すると、出力内容選択欄１１４０が表示され、指摘事項の全部を出力する「全出力」、確認入力がされてない指摘事項のみ出力する「未完のみ入力」、或いは、確認完了のみ出力する「確認完了のみ出力」などの印刷条件が選択可能となっており、各々選択して、選択された印刷条件での印刷が可能となっている。なお、工程表は、施工業者別にも印刷することができるようになっている。
【００８０】
以上説明した本発明おける建物検査支援装置によれば、タッチペン５ｂにより入力された手直し部位に相当する図面上の位置に引き出し線などの指摘表示が行われ、手直し部位に関する施工業者への手直し依頼の入力、手直し部位の手直し確認入力に基づいて、指摘表示が各々依頼表示、確認表示に変更される。よって、ユーザは、図面上で手直し部位の手直しの進捗状況を視覚的に把握することができることとなって、建物検査において手直し箇所の指摘後の管理を効率的に行うことが可能となる。
【００８１】
また、タッチペン５ｂにより手直し部位が入力された場合に、当該手直し部位にて手直しの指摘可能な指摘事項が、表示部７に表示されるので、検査者による指摘事項の誤入力を防止することができるとともに入力作業も早くなる。
【００８２】
加えて、建物の部位の指摘事項が入力されることに基づいて、当該建物の部位の指摘事項に対する手直しを行う施工業者が、表示部７に表示されるので、検査者が施工業者を知らない場合でも自動的に表示されることとなって、建物検査において手直し箇所の指摘後の管理をより効率的に行うことが可能となる。
【００８３】
さらに、入力された手直し工程に基づいて、該当する手直し工程に対応した手直し部位が抽出され、抽出された手直し部位の手直し工程に対応した表示態様に変更された指摘表示が表示されるので、ユーザは、所望する手直し工程の手直し部位の情報のみを容易に把握することができることとなって、建物検査後の進捗状況の管理をより容易に行うことができる。
【００８４】
また、表示部７に表示された建物であるマンションの各部屋番号表示が、現場作業において指摘事項の入力が完了すると、表示部７に表示された各部屋番号表示が、黒字から赤字に変更されて表示されるので、各部屋番号ごとの検査状況をより容易に把握することができることとなって、建物検査の業務効率化が図れる。
【００８５】
なお、本発明は、上記実施の形態に係るものに限られるものではなく、適宜設計変更してよい。例えば、上記実施の形態においては、データ入力は、タッチペン５ｂを用いたが、例えば、音声入力６により音声入力してもよい。
また、指摘表示、依頼表示、確認表示などの表示態様も実施の形態に限るものではなく、それぞれ区別できる表示態様であればどのようなものであってもよい。
また、指摘表示、依頼表示、確認表示の変更タイミングは、上記実施例に限定されず、例えば、手直し依頼の場合、着工予定日が入力された段階で依頼表示に変更させてもよい。
【００８６】
【発明の効果】
請求項１記載の発明によれば、表示制御手段により、入力手段により入力された手直し部位に相当する図面上の位置に所定の態様の指摘表示が行われ、表示変更手段により、手直し部位に関する所定の手直し工程の進捗情報の入力に基づいて、指摘表示が各々異なる表示態様に変更される。よって、検査者は、図面上で手直し部位の手直しの進捗状況を視覚的に把握することができることとなって、建物検査において手直し箇所の指摘後の管理を効率的に行うことが可能となる。
【００８７】
請求項２記載の発明は、請求項１に記載の発明と同様の効果が得られることは無論のこと、特に、第１の表示変更手段により、手直し部位の手直し依頼の入力に基づいて、指摘表示と異なる態様の依頼表示に変更され、第２の変更表示手段により、手直し部位の手直し確認の入力に基づいて、指摘表示及び依頼表示と異なる態様の確認表示に変更されるので、指摘表示と依頼表示と確認表示とを確実に区別することができる。
【００８８】
請求項３記載の発明によれば、請求項１又は２に記載の発明と同様の効果が得られることは無論のこと、特に、指摘事項表示制御手段によって、入力手段により手直し部位が入力された場合に、当該手直し部位にて手直しの指摘可能な指摘事項が指摘事項記憶手段から取得されて、表示部に表示されるので、検査者による指摘事項の入力効率を向上させることができるとともに、誤入力を防止することができる。
【００８９】
請求項４記載の発明によれば、請求項３に記載の発明と同様の効果が得られることは無論のこと、特に、施工業者表示制御手段により、建物の部位の指摘事項が入力されることに基づいて、当該建物の部位の指摘事項に対する手直しを行う施工業者が施工業者記憶手段から取得されて、表示部に表示されるので、検査者が施工業者を知らない場合でも自動的に表示されることとなって、建物検査において手直し箇所の指摘後の管理をより効率的に行うことが可能となる。
【００９０】
請求項５記載の発明によれば、請求項１〜４の何れか一項に記載の発明と同様の効果が得られることは無論のこと、特に、居住部表示制御手段により、複数の居住部が各居住部ごとに所定の居住表示態様で表示部に表示され、居住表示態様変更制御手段により、居住部における進捗情報の入力に基づいて、表示部に表示された当該居住部に相当する位置の居住表示態様が、進捗情報に応じて変更されて表示されるので、各居住部ごとの検査状況をより容易に把握することができることとなって、建物検査の業務効率化が図れる。
【００９１】
請求項６記載の発明によれば、当該プログラムがコンピュータに組み込まれることにより、請求項１記載の発明と同様の効果を得ることができる。
【図面の簡単な説明】
【図１】本発明の実施の形態における建物検査支援装置の要部構成を示すブロック図である。
【図２】部位マスタＤＢ及び項目マスタＤＢのデータ内容の一例を示す図である。
【図３】現場作業処理を説明するフローチャートである。
【図４】部屋番号選択画面の一例を示す図である。
【図５】室名選択画面の一例を示す図である。
【図６】部位選択画面の一例を示す図である。
【図７】仕上げ／下地選択画面の一例を示す図である。
【図８】指摘事項選択画面の一例を示す図である。
【図９】手直し部位指摘完了画面の一例を示す図である。
【図１０】事務所作業処理を説明するためのフローチャートである。
【図１１】部屋番号選択画面の一例を示す図である。
【図１２】施工業者選択画面の一例を示す図である。
【図１３】全施工業者一覧表示画面の一例を示す図である。
【図１４】手直し方法選択画面の一例を示す図である。
【図１５】確認日入力画面の一例を示す図である。
【図１６】進捗表示変更処理を説明するためのフローチャートである。
【図１７】書類作成処理を説明するためのフローチャートである。
【図１８】印刷選択画面の一例を示す図である。
【符号の説明】
１    建物検査支援装置
２    ＣＰＵ（表示制御手段、表示変更手段、第１の表示変更手段、第２の表示変更手段、指摘事項表示制御手段、施工業者表示制御手段、居住部表示制御手段、居住表示態様変更制御手段）
５    入力部（入力手段）
６    音声入力部（入力手段）
７    表示部
４１    図面マスタＤＢ（図面情報記憶手段）
４２    部位マスタＤＢ（指摘事項記憶手段）
４３    項目マスタＤＢ（指摘事項記憶手段）
４４    施工業者マスタＤＢ（施工業者記憶手段）
４５ａ  表示変更プログラム
【図１】
2004324165.tif 000003
【図２】
2004324165.tif 000004
【図３】
2004324165.tif 000005
【図４】
2004324165.tif 000006
【図５】
2004324165.tif 000007
【図６】
2004324165.tif 000008
【図７】
2004324165.tif 000009
【図８】
2004324165.tif 000010
【図９】
2004324165.tif 000011
【図１０】
2004324165.tif 000012
【図１１】
2004324165.tif 000013
【図１２】
2004324165.tif 000014
【図１３】
2004324165.tif 000015
【図１４】
2004324165.tif 000016
【図１５】
2004324165.tif 000017
【図１６】
2004324165.tif 000018
【図１７】
2004324165.tif 000019
【図１８】
2004324165.tif 000020